(57)【要約】【課題】  マルチ画面のうち指定した子画面を指定している時間に対応させたサイズに映し出すことにより番組選択の効率の低下を防止する。【解決手段】  マルチ画面のうち視聴者が指定する子画面を特定する指定子画面特定部１１と、指定時間を計時し、指定時間ごとに指定時間データを出力するタイマ部１２と、各子画面の大きさの割合を記憶する子画面サイズ記憶部１４と、タイマ部１２で計時された指定時間と子画面サイズ記憶部１４に記憶されている各子画面の大きさの割合に基づいて、各子画面の大きさの割合を決定する子画面サイズ決定部１３と、子画面サイズ決定部１３で決定された各子画面の大きさの割合に基づいてマルチ画面を作成するマルチ画面作成部１６と、を備える。【選択図】      図１
2005333524.tif 000002
【特許請求の範囲】
【請求項１】
画面表示手段に表示されたマルチ画面のうちの一画面である子画面を視聴者が注視している時間と、前記画面表示手段に表示されるポインタで前記子画面を指定している時間との少なくとも一方の時間である注視・指定時間に基づいて、当該視聴者の番組選択を支援する番組選択支援装置であって、
前記マルチ画面のうち前記視聴者が注視している子画面または前記画面表示手段に表示されるポインタで指定している子画面を特定する指定子画面特定手段と、
前記子画面の表示の割合を記憶する子画面サイズ記憶手段と、
前記指定子画面特定手段により特定された子画面の注視・指定時間を計時する計時手段と、
この計時手段で計時された注視・指定時間と前記子画面サイズ記憶手段に記憶されている子画面の表示の割合とに基づいて前記子画面の表示の割合を決定すると共に、前記子画面サイズ記憶手段に記憶されている子画面の表示の割合を更新する子画面サイズ決定手段と、
この子画面サイズ決定手段で決定された子画面の表示の割合に基づいて前記マルチ画面を作成するマルチ画面作成手段と、
を備えることを特徴とする番組選択支援装置。
【請求項２】
前記各子画面に映し出されている各番組の音声の音量の割合を記憶する音量割合記憶手段と、
前記計時手段で計時された注視・指定時間と前記音量割合記憶手段に記憶されている各番組の音声の音量の割合とに基づいて前記各番組の音声の音量の割合を決定すると共に、前記音量割合記憶手段に記憶されている各番組の音声の音量の割合を更新する音量割合決定手段と、
この音量割合決定手段で決定された各番組の音声の音量の割合に基づいて、前記マルチ画面に表示されている各番組の音声の音量を決定する音量決定手段と、
を備えることを特徴とする請求項１に記載の番組選択支援装置。
【請求項３】
前記指定子画面特定手段で特定された子画面に係る番組の音声のみ出力する音声決定手段を備えることを特徴とする請求項１に記載の番組選択支援装置。
【請求項４】
前記指定子画面特定手段で特定された子画面に係る番組の音声の音量とそれ以外の子画面に係る番組の音声の音量を予め定められた割合に基づいて出力する音声決定手段を備えることを特徴とする請求項１に記載の番組選択支援装置。
【請求項５】
前記指定子画面特定手段により子画面が特定されている時間が予め定められた閾値を超えた場合に、前記指定子画面特定手段で特定された子画面で表示されている番組に対応する番組情報を、電子番組ガイドから取得し、前記画面表示手段に出力する番組情報取得出力手段を備えることを特徴とする請求項１から請求項４のいずれか１項に記載の番組選択支援装置。
【請求項６】
画面表示手段に表示されたマルチ画面の子画面を視聴者が注視している時間と、前記画面表示手段に表示されるポインタで前記子画面を指定している時間との少なくとも一方の時間である注視・指定時間に基づいて、当該視聴者の番組選択を支援する番組選択支援装置を、
前記マルチ画面のうち前記視聴者が注視している子画面または前記画面表示手段に表示されるポインタで指定している子画面を特定する指定子画面特定手段、
前記指定子画面特定手段により特定された子画面の注視・指定時間を計時する計時手段、
この計時手段で計時された注視・指定時間と、前記子画面の表示の割合を記憶する子画面サイズ記憶手段に記憶されている子画面の表示の割合とに基づいて前記子画面の表示の割合を決定すると共に、前記子画面サイズ記憶手段に記憶されている子画面の表示の割合を更新する子画面サイズ決定手段、
この子画面サイズ決定手段で決定された子画面の表示の割合に基づいて前記マルチ画面を作成するマルチ画面作成手段、
として機能させることを特徴とする番組選択支援プログラム。
【発明の詳細な説明】
【技術分野】
【０００１】
本発明は、視聴者が番組を視聴する際に、番組の選択を支援するための番組選択支援装置及び番組選択支援プログラムに関する。
【背景技術】
【０００２】
一般に、複数のチューナを使用して複数の番組を受信することにより、複数の番組を１つのディスプレイに表示してマルチ画面とする技術がある（例えば、特許文献１）。この技術では、ディスプレイ全面を等分に分割して各番組を映す方法と、視聴者が指定した番組をディスプレイに大きく映し、それ以外の番組を小さく映す方法がある。
この技術により、視聴者は、番組を変えることなく、複数の番組を１つのディスプレイで視聴することができる。
【特許文献１】特開２００２−１３５６７９号公報（段落０００２）
【発明の開示】
【発明が解決しようとする課題】
【０００３】
しかし、視聴者は、特定の番組を見ている時間が長くなるほど、その特定の番組をディスプレイに大きく映し出して見たいという願望がある。また、視聴者が見ている番組を変更する場合に、見ていた時間の長い番組ほど選択する確率が高いという傾向がある。従って、視聴者が見ている番組を変更する際に、視聴者が見ていた各番組の視聴時間に応じた各番組の表示の割合でディスプレイに各番組を表示したほうが視聴者にとって、見ている番組を変更する際に便利である。また、ディスプレイ全面を等分に分割して各番組を映す方法では、見ていない番組により視聴者の注意が妨げられ、番組選択の効率が低下するという問題もあった。
ところが、前記技術では、視聴者が見ている時間に応じてマルチ画面に表示されている番組の表示の割合を変更することができなかった。
【０００４】
そこで、本発明は、前記問題点に鑑みなされたものであり、マルチ画面のうち見ている時間などに応じてディスプレイに映し出される各番組の表示の割合を変更することができる番組選択支援装置及び番組選択支援プログラムを提供することを目的とする。
【課題を解決するための手段】
【０００５】
請求項１に係る発明は、画面表示手段に表示されたマルチ画面のうちの一画面である子画面を視聴者が注視している時間と、前記画面表示手段に表示されるポインタで前記子画面を指定している時間との少なくとも一方の時間である注視・指定時間に基づいて、当該視聴者の番組選択を支援する番組選択支援装置であって、指定子画面特定手段と、子画面サイズ記憶手段と、計時手段と、子画面サイズ決定手段と、マルチ画面作成手段と、を備える構成とした。
【０００６】
かかる構成によれば、番組選択支援装置は、指定子画面特定手段により、マルチ画面に表示された子画面のうち視聴者が注視している（視線が向けられている）子画面、または、ポインタ（カーソルなど）により指定している子画面を特定する。また、番組選択支援装置は、計時手段により、指定子画面特定手段により特定された子画面の注視・指定時間、例えば、１秒間、３秒間、５秒間、１０秒間を計時する。さらに、番組選択支援装置は、子画面サイズ決定手段により、子画面サイズ記憶手段に記憶されている子画面の表示の割合を読み出して、この読み出した子画面の表示の割合と計時手段で計時された注視・指定時間とに基づいて子画面の表示の割合を決定する。例えば、番組選択支援装置は、子画面サイズ決定手段により、指定子画面特定手段で特定された子画面については、所定値に、計時手段で計時された注視・指定時間を加え、指定子画面特定手段で特定されていない子画面については、所定値から、計時手段で計時された注視・指定時間を引くことにより比較値を求め、この子画面毎の比較値を比較して、この比較結果に基づいて各子画面の大きさの割合を定める。そして、番組選択支援装置は、マルチ画面作成手段により、子画面サイズ決定手段で決定された子画面の表示の割合に基づいてマルチ画面を作成する。
【０００７】
ここで、子画面とは、ディスプレイ全面に映し出される１つの画面を分割して生成した画面、例えば、１つの画面を４分割した場合には、４分割されたそれぞれの画面をいう。従って、１つの画面を４分割した場合には、１つの画面が４つの子画面に分割され、１つのディスプレイに４つの子画面が映し出されることとなる。
【０００８】
請求項２に係る発明は、請求項１に記載の番組選択支援装置であって、音量割合記憶手段と、音量割合決定手段と、音量決定手段と、を備えている構成とした。
【０００９】
かかる構成によれば、番組選択支援装置は、音量割合決定手段により、音量割合記憶手段に記憶されている各番組の音声の音量の割合を読み出して、この読み出した各番組の音声の音量の割合と計時手段で計時された注視・指定時間とに基づいて各番組の音声の音量の割合を決定する。例えば、番組選択支援装置は、音量割合決定手段により、指定子画面特定手段で特定された子画面に映し出されている番組の音声の音量については、所定値に計時手段で計時された注視・指定時間を加え比較値を求める。また、番組選択支援装置は、音量割合決定手段により、指定子画面特定手段で特定されていない子画面に映し出されている番組の音声の音量については、指定子画面特定手段により特定された子画面に映し出されている番組の音声の視聴の妨げとならず、かつ、番組選択のきっかけとなり得る音声の音量の割合の範囲内で、所定値に計時手段で計時された注視・指定時間を引くことにより比較値を求める。そして、番組選択支援装置は、音量割合決定手段により、これらの比較値を比較することにより、各子画面に映し出されている番組の音声の音量の割合を決定する。そして、番組選択支援装置は、音量決定手段により、音量割合決定手段で決定された各番組の音声の音量の割合に基づいて、各番組の音声の音量を決定する。
【００１０】
請求項３に係る発明は、請求項１に記載の番組選択支援装置であって、前記指定子画面特定手段で特定された子画面に係る番組の音声のみ出力する音声決定手段を備える構成とした。
かかる構成によれば、指定子画面特定手段で特定された子画面に係る番組の音声のみ出力され、それ以外の子画面に係る番組の音声は出力されない。
【００１１】
請求項４に係る発明は、請求項１に記載の番組選択支援装置であって、前記指定子画面特定手段で特定された子画面に係る番組の音声の音量とそれ以外の子画面に係る番組の音声の音量を予め定められた割合に基づいて出力する音声決定手段を備える構成とした。
かかる構成によれば、例えば、指定子画面特定手段で特定された子画面に係る番組の音声を視聴者の選択した音量とし、それ以外の子画面に係る音声の音量を、視聴者が指定した子画面に係る番組の視聴の妨げとならず、かつ、番組選択のきっかけとなる音量として出力する。
【００１２】
請求項５に係る発明は、請求項１から請求項４のいずれか１項に記載の番組選択支援装置であって、指定子画面特定手段により子画面が特定されている時間が予め定められた閾値を超えた場合に、指定子画面特定手段で特定された子画面で表示されている番組に対応する番組情報を、電子番組ガイドから取得し、画面表示手段に出力する番組情報取得出力手段を備える構成とした。
【００１３】
かかる構成によれば、番組選択支援装置は、番組情報取得出力手段により、視聴者が子画面を指定している時間が予め定められた閾値を超えると視聴者が指定している子画面に係る番組の番組情報が、視聴者が指定している子画面に表示される。
【００１４】
ここで、電子番組ガイドには、少なくとも番組名（タイトル）、出演者名、番組開始時間、番組終了時間、番組詳細情報（あらすじ、時代背景などの番組概要）が含まれる。また、閾値を複数設定しておき、出力する番組情報を段階的に増やすようにすることも可能である。例えば、子画面を特定している時間が第１の閾値を超えた場合には、番組名を出力し、子画面を指定している時間が第２の閾値を超えた場合には、番組名、番組開始時間及び番組終了時間を出力し、子画面を指定している時間が第３の閾値を超えた場合には、番組名、番組開始時間、番組終了時間及び番組詳細情報を出力する。
【００１５】
請求項５に係る発明は、番組選択支援プログラムであって、画面表示手段に表示されたマルチ画面のうちの一画面である子画面を視聴者が注視している時間と、前記画面表示手段に表示されるポインタで前記子画面を指定している時間との少なくとも一方の時間である注視・指定時間に基づいて、当該視聴者の番組選択を支援する番組選択支援装置を、指定子画面特定手段、計時手段、子画面サイズ決定手段、マルチ画面作成手段として機能させる構成とした。
【００１６】
かかる構成によれば、番組選択支援プログラムは、番組選択支援装置に、指定子画面特定手段により、マルチ画面のうち視聴者が注視または画面表示手段に表示されるポインタで指定している子画面を特定させる。また、番組選択支援プログラムは、番組選択支援装置に、計時手段により、指定子画面特定手段により特定された子画面の注視・指定時間を計時させる。さらに、番組選択支援プログラムは、番組選択支援装置に、子画面サイズ決定手段により、子画面サイズ記憶手段に記憶されている子画面の表示の割合を読み出させて、この読み出させた子画面の表示の割合と計時手段で計時された注視・指定時間とに基づいて子画面の表示の割合を決定させる。そして、番組選択支援プログラムは、番組選択支援装置に、マルチ画面作成手段により、子画面サイズ決定手段で決定された子画面の表示の割合に基づいてマルチ画面を作成させる。
【発明の効果】
【００１７】
請求項１または請求項５に係る発明によれば、マルチ画面のうち指定している子画面を、この子画面を指定している時間に応じた大きさに映し出すことができるので、見ていない子画面により視聴者の注意が妨げられ、番組選択の効率が低下することを防止することが可能となる。
請求項２または請求項４に係る発明によれば、指定していない子画面に係る番組の音声が、指定している子画面に係る番組の視聴の妨げとならず、かつ、番組選択のきっかけとすることができる。
【００１８】
請求項３に係る発明によれば、指定している子画面に係る番組の音声のみ出力されるので、指定していない子画面に係る音声により指定している子画面に係る番組の視聴の妨げとなることを防止することができる。
請求項５に係る発明によれば、視聴者が番組を見ている間にわざわざ新聞のテレビ欄やテレビ情報誌を参照する必要をなくすことができる。
【発明を実施するための最良の形態】
【００１９】
［第１の実施形態］
次に、第１の実施形態について、適宜、図面を参照しながら説明する。
ここで参照する図１は、番組選択支援装置の構成を示すブロック図である。図１に示すように、番組選択支援装置１は、指定子画面特定部１１、タイマ部１２、子画面サイズ決定部１３、子画面サイズ記憶部１４、チューナ部１５、マルチ画面作成部１６、マルチ画面記憶部１７を備えている。
【００２０】
視線検出装置２は、図示しない撮影部により、視聴者の位置と視聴者の顔を撮影して視聴者の位置と視聴者の視線を検出するものである。ここで、視聴者の視線は、眼球の中心と瞳孔の中心を結ぶ視線ベクトルを演算して求められる。また、視線検出装置２は、視聴者の位置を示す位置データと視線ベクトルを示す視線ベクトルデータを指定子画面特定部１１に出力するものである。
【００２１】
指定子画面特定部（指定子画面特定手段）１１は、視線検出装置２から出力されてくる視線ベクトルデータと視聴者の位置データ、後記するマルチ画面記憶部１７から読み出したマルチ画面を示すマルチ画面データから視聴者がどの子画面を見ているのかを特定するものである。具体的には、視聴者の位置をＡ（ｘA，ｙA，ｚA）座標とし、視線ベクトルをＢ（ｘB，ｙB，ｚB）とすると画面表示装置４の表示面に、視聴者の位置Ａを起点とするＢベクトルが交差する位置Ｃ（ｘA＋ｃｘB，ｙA＋ｃｙB，ｚA＋ｃｚB）がある（ｃは定数）。この位置Ｃが、視聴者が見ている画面表示装置４の表示面の位置となる。また、マルチ画面記憶部１７に記憶されているマルチ画面の子画面のうち位置Ｃに表示されている子画面が、視聴者が見ている子画面となる。また、指定子画面特定部１１は、視聴者がどの子画面を見ているのかを示す子画面特定データを子画面サイズ決定部１３に出力する。
【００２２】
また、タイマ部（計時手段）１２は、所定時間（注視・指定時間）を計時して、所定時間ごとに子画面サイズ決定部１３に所定時間を示す所定時間データを出力するものである。所定時間とは、例えば、１秒間、３秒間、５秒間、１０秒間である。
【００２３】
子画面サイズ決定部（子画面サイズ決定手段）１３は、タイマ部１２から出力される所定時間データに基づいて、子画面サイズ記憶部１４に記憶されている各子画面の大きさ（表示）の割合を示す更新子画面サイズ割合データを読み出して、タイマ部１２で計時した所定時間及び子画面特定データから、各子画面の大きさの割合を更新（変更）するものである。
具体的には、子画面サイズ決定部１３は、タイマ部１２で計時した所定時間に基づいて、視聴者が視聴している子画面の大きさの割合は大きく、視聴者が視聴していない子画面の大きさの割合は小さくする。
また、子画面サイズ決定部１３は、更新した各子画面の大きさの割合を示す更新子画面サイズ割合データを子画面サイズ記憶部１４及びマルチ画面作成部１６に出力する。
【００２４】
子画面サイズ記憶部（子画面サイズ記憶手段）１４は、子画面サイズ決定部１３から出力される更新子画面サイズ割合データを記憶すると共に、更新子画面サイズ割合データを子画面サイズ決定部１３に読み出されるものである。ここで、更新子画面サイズ割合データには、初めの各子画面の大きさの割合、すなわち、第１回目の所定時間データが出力される前の各子画面の大きさの割合を示すデータも含まれる。また、子画面サイズ記憶部１４は、各子画面の大きさの割合を決定するために使用される各子画面のポイントを記憶している。すなわち、初めの所定時間データが出力される前の各子画面のポイント、指定子画面特定部１１で視聴者が見ている子画面について所定時間に応じて加えられるポイント、指定子画面特定手段１１で視聴者が見ていない子画面について所定時間に応じて減点されるポイント、各子画面の大きさの割合が更新された際の各子画面のポイントが記憶されている。例えば、初めの所定時間データが出力される前の各子画面のポイントを５０ポイント、所定時間を１秒間とし、所定時間当たりのポイントを１ポイントとする。
【００２５】
チューナ部１５…は、選択番組入力装置３から出力される選択された番組を示す選択番組データに基づいて、アンテナが受信した放送波を検波、増幅して映像を示す映像データをマルチ画面作成部１６に出力するものである。
【００２６】
マルチ画面作成部（マルチ画面作成手段）１６は、子画面サイズ決定部１３から出力される各子画面の子画面サイズデータと、チューナ部１５…から出力される映像データに基づいてマルチ画面を作成するものである。つまり、子画面サイズ決定部１３で決定された各子画面のサイズ（各子画面の大きさの比）に応じて、各映像データが示す各番組の映像を縮小してマルチ画面を作成する。このマルチ画面作成部１６は、子画面の中心を動かさずに各子画面を拡大・縮小し、拡大した子画面を画面表示装置４の表示面に表示させた場合に、この子画面の一部が出てしまうときには、拡大した子画面が、表示面内に収まるように子画面の表示位置を移動させる。また、マルチ画面作成部１６が、子画面を拡大・縮小することにより子画面同士が重なってしまうときは、子画面同士が重ならないように各子画面の表示位置を移動させる。
ここで、図２を参照してマルチ画面の配置について説明する。参照する図２（ａ）は、画面表示装置の表示面に表示される画面を４等分に分割した子画面を示すイメージ図、図２（ｂ）は、Ａ画面を拡大し、Ｂ画面、Ｃ画面及びＤ画面を縮小した場合を示すイメージ図、図２（ｃ）は、Ａ画面の表示位置を移動させた場合を示すイメージ図、図２（ｄ）はＢ画面、Ｃ画面及びＤ画面の表示位置を移動させた場合を示すイメージ図である。
図２（ａ）に示すように、マルチ画面作成部１６が表示面に表示される画面をＡ画面、Ｂ画面、Ｃ画面及びＤ画面として等分に分割する。また、図２（ｂ）に示すように、マルチ画面作成部１６が各子画面の中心を中心にして各子画面をポイントに応じてＡ画面を拡大し、Ｂ画面、Ｃ画面及びＤ画面を縮小する。また、図２（ｂ）に示すように、表示面からＡ画面の一部が外に出てしまうので、図２（ｃ）に示すように、マルチ画面作成部１６がＡ画面を表示面内に収まるようにＡ画面の表示位置を移動させる。図２（ｃ）に示すように、Ａ画面とＢ画面、Ｃ画面及びＤ画面は重なってしまうので、図２（ｄ）に示すように、マルチ画面作成部１６がＢ画面、Ｃ画面及びＤ画面の表示位置を移動させて、Ａ画面とＢ画面、Ｃ画面及びＤ画面が重ならないようにする。
図１に戻って説明を続ける。マルチ画面作成部１６は、作成したマルチ画面を示すマルチ画面データを画面表示装置４とマルチ画面記憶部１７に出力する。
マルチ画面記憶部１７は、マルチ画面作成部１６から出力されるマルチ画面を示すデータを記憶すると共に、指定子画面特定部１１に記憶しているマルチ画面データを読み出されるものである。
【００２７】
選択番組入力装置３は、視聴者が選択した番組を特定する選択番組データを入力するものである。例えば、画面表示装置４の表示面の全面に映し出される画面が４分割されている場合（子画面が４つある場合）には、選択番組データによって、画面表示装置４には４つの番組が特定されて入力される。また、選択番組入力装置３は、入力された選択番組データをチューナ部１５…に出力する。
画面表示装置（画面表示手段）４は、マルチ画面作成部１６から出力されるマルチ画面データに基づいて、表示面にマルチ画面を表示するものである。例えば、液晶ディスプレイ、プラズマディスプレイなどである。
【００２８】
次に、視線検出装置２における視聴者の視線の特定方法について図３及び図４を参照しながら説明する。ここで参照する図３は、視聴者の視線の特定方法を示すフローチャートである。また、図４は、眼球の概略図である。
まず、図３に示すように、視線検出装置２の図示しない撮影部が、視聴者の顔を撮影する（ステップＳ１１）。
次に、視線検出装置２が、撮影された視聴者の顔を示す画像の色彩情報（肌色、白目の白色、黒目の黒色など）に基づいて視聴者の両目の輪郭を検出する（ステップＳ１２）。
【００２９】
また、視線検出装置２が、撮影された視聴者の顔を示す画像の色彩情報（肌色、白目の白色、黒目の黒色など）に基づいて視聴者の両目の両端の位置を検出する（ステップＳ１３）。
次に、視線検出装置２が、視聴者の両目の両端の位置を基準とし、撮影された視聴者の顔を示す画像の輝度情報に基づいて瞳孔の位置を検出する（ステップＳ１４）。
【００３０】
次に、視線検出装置２が、目の両端及び瞳孔の位置の幾何学的な位置関係に基づいて、図４に示すような、眼球の中心１０１の位置と眼球の半径を推定する（ステップＳ１５）。
更に、目の輪郭内の輝度情報に基づいて瞳孔の中心１０３の位置を検出する（ステップＳ１６）。
【００３１】
そして、眼球の中心１０１と瞳孔の中心１０３を結ぶベクトルを演算して求める（ステップＳ１７）。このベクトルが視線の方向とみなされることにより、視聴者の視線の検出が行われる。
なお、視線を検出する他の方法としては、視聴者の顔に赤外線を照射して、反射した赤外線を用いて行う方法などがある。
【００３２】
次に、番組選択支援装置１の動作について、図５を参照しながら説明する（適宜図１を参照）。ここで参照する図５は、番組選択支援装置の動作を示すフローチャートである。
まず、視線検出装置２が、図示しない撮影部により、視聴者の顔を撮影して視聴者の視線と視聴者の位置を検出して視線ベクトルを求める。また、視線検出装置２が、視線ベクトルデータと位置データを指定子画面特定部１１に出力する。
次に、指定子画面特定部１１が、視線検出装置２から出力されてくる視線ベクトルデータと位置データ、マルチ画面記憶部１７から読み出したマルチ画面データとに基づいて視聴者がどの子画面を見ているのかを特定する（ステップＳ２１）。
また、指定子画面特定部１１が、子画面サイズ決定部１３に子画面特定データを出力する。
また、タイマ部１２が所定時間を計時する（ステップＳ２２）。そして所定時間毎に、子画面サイズ決定部１３に所定時間データを出力する。
次に、子画面サイズ決定部１３が、タイマ部１２から出力される所定時間データに基づいて、子画面サイズ記憶部１４から読み出した更新子画面サイズ割合データと、指定子画面特定部１１から出力されてくる子画面特定データ、タイマ部１２で計時される所定時間に基づいて各子画面の大きさの割合を決定する（ステップＳ２３）。
【００３３】
ここで、図面を参照して子画面サイズ決定部１３における各子画面のサイズの決定方法を説明する。参照する図６（ａ）は、画面表示装置の表示面に表示される４等分に分割した子画面を示すイメージ図、（ｂ）は、視聴者がＡ画面を１０秒間見続けた場合の各子画面を示したイメージ図、（ｃ）は、視聴者がＡ画面を１０秒間見た後、Ｂ画面を５秒間見た場合の各子画面を示すイメージ図、（ｄ）は、視聴者がＡ画面を１０秒間見た後、Ｂ画面を２３秒間見た場合の各子画面のイメージ図である。
【００３４】
図６（ａ）〜（ｄ）に示すように、視聴者が画面表示装置４の表示面に表示される画面を見始めた時に画面表示装置４の表示面に表示される画面を４等分に分割して子画面を作成する場合であって、次の法則に従うものとする。始めに各子画面は５０ポイントを有するものとする。視聴者が見ている子画面については、１秒間毎に１ポイント加算され、視聴者が見ていない子画面については、見ていない時間（他の子画面を見ている時間）１秒間毎に１ポイント減点される。そして、計算された各子画面のポイントの比が各子画面の大きさ（各子画面の縦横の長さ）の比となる。
【００３５】
図６（ａ）に示すように、視聴者が画面表示装置４の表示面を見始めたときには、Ａ画面、Ｂ画面、Ｃ画面及びＤ画面は、画面表示装置４の表示面に表示される画面を４等分にしたサイズとなる。
図６（ｂ）に示すように、視聴者が１０秒間Ａ画面を見続けると、Ａ画面のポイントは、５０＋１０＝６０ポイントとなる。一方、Ｂ画面、Ｃ画面、Ｄ画面のポイントは、５０−１０＝４０ポイントとなる。そして、Ａ画面のポイントとＢ画面、Ｃ画面、Ｄ画面のポイントの比が、Ａ画面、Ｂ画面、Ｃ画面及びＤ画面の大きさの比となり、Ａ画面、Ｂ画面、Ｃ画面、Ｄ画面の大きさの比は、６０：４０：４０：４０＝３：２：２：２となる。また、Ａ画面は、画面を拡大することにより、画面表示装置４の表示面に表示する画面から出てしまうため、Ａ画面の表示位置を移動して表示面内に収まるようにする。また、Ａ画面とＢ画面、Ｃ画面及びＤ画面が重なるため、Ｂ画面、Ｃ画面及びＤ画面の表示位置を移動して、Ｂ画面、Ｃ画面及びＤ画面とＡ画面とが重ならないようにする。
【００３６】
図６（ｃ）に示すように、視聴者が１０秒間Ａ画面を見続けた後、Ｂ画面を５秒間見続けると、Ａ画面のポイントは、６０−５＝５５ポイント、Ｂ画面のポイントは、４０＋５＝４５ポイント、Ｃ画面とＤ画面のポイントは、４０−５＝３５ポイントとなり、Ａ画面、Ｂ画面、Ｃ画面、Ｄ画面の大きさの比は、５５：４５：３５：３５＝１１：９：７：７となる。また、Ｂ画面を拡大することにより、Ｂ画面を画面表示装置４の表示面の外に出てしまうため、Ｂ画面の表示位置を移動して表示面内に収まるようにする。また、Ａ画面とＢ画面とが重なるため、Ａ画面の表示位置を移動してＡ画面とＢ画面が重ならないようにする。
【００３７】
図６（ｄ）に示すように、さらにＢ画面を１８秒間見続けると、Ａ画面のポイントは、５５−１８＝３７ポイント、Ｂ画面のポイントは、４５＋１８＝６３、Ｃ画面及びＤ画面のポイントは、３５−１８＝１７ポイントとなり、Ａ画面、Ｂ画面、Ｃ画面、Ｄ画面の大きさの比は、３７：６３：１７：１７となる。また、また、Ｂ画面を拡大することにより、Ｂ画面が画面表示装置４の表示面に表示する画面の外に出てしまうため、Ｂ画面の表示位置を移動して表示面内に収まるようにする。また、Ａ画面とＢ画面とが重なるため、Ａ画面の表示位置を移動してＡ画面とＢ画面が重ならないようにする。
図５に戻って説明を続ける。子画面サイズ決定部１３が、決定した各子画面の子画面サイズデータをマルチ画面作成部１６に出力する。
【００３８】
マルチ画面作成部１６が、子画面サイズ決定部１３から出力される決定した各子画面の子画面サイズデータと、チューナ部１５…から出力される映像データとに基づいてマルチ画面を作成する（ステップＳ２４）。
また、マルチ画面作成部１６が、マルチ画面データを画面表示装置４とマルチ画面記憶部１７に出力する。
そして、画面表示装置４が、マルチ画面作成部１６から出力されるマルチ画面データに基づいて、マルチ画面を表示する。
【００３９】
第１の実施形態に係る番組選択支援装置１によれば、視聴者が子画面を見ている時間に基づいて子画面の大きさが決定されるので、見ていない子画面により視聴者の注意が妨げられ、番組選択の効率が低下することを防止することが可能となる。
【００４０】
［第２の実施形態］
次に、第２の実施形態について、適宜、図面を参照しながら説明する。なお、第１の実施形態と同様の構成については同一の符号を付してその説明は省略する。ここで参照する図７は、番組選択支援装置の構成を示すブロック図である。図７に示すように、番組選択支援装置１Ａは、指定子画面特定部１１Ａ、タイマ部１２Ａ、子画面サイズ決定部１３、子画面サイズ記憶部１４、チューナ部１５Ａ、マルチ画面作成部１６、マルチ画面記憶部１７、音量割合決定部１８、音量調整部１９、音量割合記憶部２２を備えている。
【００４１】
ここで、第１の実施形態に係る番組選択支援装置１とは、指定子画面特定部１１Ａ、タイマ部１２Ａ、チューナ部１５Ａ、音量割合決定部１８、音量調整部１９および音量割合記憶部２２を備え、指定子画面特定部１１、タイマ部１２、チューナ部１５を備えない点で異なっている。
【００４２】
指定子画面特定部（指定子画面特定手段）１１Ａは、視線検出装置２から出力されてくる視聴者の視線を示す視線ベクトルデータと視聴者の位置データ、マルチ画面記憶部１７から読み出したマルチ画面データから視聴者がどの子画面を見ているのかを特定するものである。
また、指定子画面特定部１１Ａは、子画面サイズ決定部１３および音量割合決定部１８に子画面特定データを出力する。
タイマ部（計時手段）１２Ａは、所定時間を計時して、所定時間毎に子画面サイズ決定部１３と音量割合決定部１８に所定時間データを出力するものである。
【００４３】
チューナ部１５Ａ…は、選択番組入力装置３から出力される選択番組データに基づいて、アンテナが受信した放送波を検波、増幅して映像データをマルチ画面作成部１６に出力し、音声を示す音声データを音量調整部１９に出力するものである。
音量割合決定部（音量割合決定手段）１８は、タイマ部１２Ａから出力される所定時間データに基づいて、音量割合記憶部２２に記憶されている各子画面に映し出される番組の音声の音量の割合を示す更新音声音量割合データを読み出して、タイマ部１２Ａで計時した所定時間及び子画面特定データから各子画面に映し出される番組の音声の音量の割合を更新（変更）するものである。
【００４４】
具体的には、音量割合決定部１８は、タイマ部１２Ａで計時した所定時間に基づいて、視聴者が視聴している子画面に映し出されている番組の音声の音量の割合は大きく、視聴者が視聴していない子画面に映し出されている番組の音声の音量の割合は小さくする。
そして、音量割合決定部１８は、更新した各子画面に映し出されている番組の音声の音量の割合を示す更新音声音量割合データを音量割合記憶部２２及び音量調整部１９に出力する。
【００４５】
音量割合記憶部（音量割合記憶手段）２２は、音量割合決定部１８から出力される更新音声音量割合データを記憶すると共に、更新音声音量割合データを音量割合決定部１８に読み出されるものである。ここで、更新音声音量割合データには、初めの各子画面に映し出されている番組の音声の音量の大きさの割合、すなわち、第１回目の所定時間データが出力される前の各子画面に映し出されている番組の音声の音量の大きさの割合を示すデータも含まれる。また、音量割合記憶部２２は、各子画面に映し出されている番組の音声の音量の大きさの割合を決定するために使用される各子画面に映し出されている番組（以下適宜「番組」という。）のポイントを記憶している。すなわち、音量割合記憶部２２は、初めの所定時間データが出力される前の各番組のポイント、指定子画面特定部１１で視聴者が見ている番組について所定時間に応じて加えられるポイント、指定子画面特定手段１１で視聴者が見ていない番組について所定時間に応じて減点されるポイント、各子画面に映し出されている番組の音声の音量の大きさの割合が更新された際の各番組のポイントを記憶している。また、音量割合記憶部２２は、視聴者が見ている子画面を変更した場合に、それまで見ていた番組のポイントから引かれるポイント、そのときから見始めた番組のポイントに加えられるポイントを記憶している。例えば、初めの所定時間データが出力される前の各番組のポイントとして、視聴者が見ている番組のポイントを７０ポイント、視聴者が見ていない番組のポイントを１０ポイントとし、所定時間を１秒間とし、所定時間ごとのポイントを１ポイントとする。また、視聴者が見ている子画面を変更した場合に、それまで見ていた番組のポイントから引かれるポイント、そのときから見始めた番組のポイントに加えられるポイントを６０ポイントとする。
【００４６】
音量調整部（音量決定手段）１９は、音量割合決定部１８から出力される更新音量割合データ、選択音量入力装置６から出力される選択された音声の音量、例えば、画面に映し出されている番組の音声の音量の合計を示すデータに基づいて各番組の音声の音量を決定する。
音量調整部１９は、チューナ部１５Ａ…から出力される音声データと決定した各番組の音声の音量を示す音量データを音声提供装置５に出力する。
【００４７】
選択音量入力装置６は、視聴者が選択した音量を示す選択音量データを入力するものである。また、選択音量入力装置６は、選択音量データを音量調整部１９に出力する。
【００４８】
次に番組選択支援装置１Ａの動作について、図８を参照しながら説明する（適宜図７を参照）。ここで参照する図８は、番組選択支援装置の動作を示すフローチャートである。
図８に示すように、まず、視線検出装置２が、図示しない撮影部により、視聴者の顔を撮影して視聴者の視線と視聴者の位置を検出して視線ベクトルを求める。また、視線検出装置２が、視線ベクトルデータと位置データを指定子画面特定部１１に出力する。
次に、指定子画面特定部１１Ａが、視線検出装置２から出力されてくる視線ベクトルデータと位置データ、マルチ画面記憶部１７から読み出したマルチ画面データとに基づいて視聴者がどの子画面を見ているのかを特定する（ステップＳ３１）。
また、指定子画面特定部１１Ａが、子画面サイズ決定部１３および音量割合決定部１８に子画面特定データを出力する。
【００４９】
また、タイマ部１２Ａが所定時間を計時する（ステップＳ３２）。そして所定時間毎に、子画面サイズ決定部１３と音量割合決定部１８に所定時間データを出力する。
次に、子画面サイズ決定部１３が、タイマ部１２Ａから出力される所定時間データに基づいて、子画面サイズ記憶部１４から読み出した更新子画面サイズ割合データ、指定子画面特定部１１Ａから出力されてくる子画面特定データ、タイマ部１２Ａで計時される所定時間に基づいて各子画面の大きさの割合を決定する（ステップＳ３３）。
また、子画面サイズ決定部１３が決定した各子画面の子画面サイズデータをマルチ画面作成部１６に出力する。
【００５０】
次に、音量割合決定部１８が、タイマ部１２Ａから出力される所定時間データに従い、音量割合記憶部２２から読み出した更新音量割合データ、指定子画面特定部１１Ａから出力されてくる子画面特定データ、タイマ部１２Ａで計時される所定時間に基づいて各子画面に映し出されている番組の音声の音量の割合を決定する（ステップＳ３４）。
【００５１】
ここで図面を参照して、音量割合決定部１８における番組の音声の音量の割合を決定する方法について説明する。ここで参照する図９（ａ）は、Ａ番組を見続けた場合の子画面を見ている時間と各番組のポイントの１例を示した図であり、（ｂ）は、途中でＡ番組からＢ番組に見ている番組を変更した場合の子画面を見ている時間と各番組のポイントの１例を示した図である。
【００５２】
画面表示装置４の表示面に４つの子画面が映し出している場合であって、始めに視聴者が見ている子画面に映し出されている番組が７０ポイントを有するものとし、視聴者が見ていない子画面に映し出されている番組が１０ポイントを有するものとする。視聴者が見ている子画面については、１秒間毎に１ポイント加算され、視聴者が見ていない子画面については、見ていない時間（他の子画面を見ている時間）１秒間毎に１ポイント減点される。また、視聴者が見ている子画面を変更した場合には、それまで見ていた子画面に映し出されている番組のポイントから６０ポイント減点し、見始めた子画面に映し出されている番組のポイントに６０ポイントを加える。そして、計算された各子画面のポイントの比が各子画面に映し出された番組の音声の音量の大きさの比となる。
【００５３】
図９（ａ）に示すように、視聴者が３秒間Ａ番組を見続けると、Ａ番組のポイントは、７０＋３＝７３ポイントとなり、Ｂ番組、Ｃ番組、Ｄ番組それぞれのポイントは、１０−３＝７ポイントとなり、Ａ番組の音声、Ｂ番組、Ｃ番組及びＤ番組の音声の音量の比は、７３：７：７：７となる。
【００５４】
そして、視聴者がさらに２秒間Ａ番組を見続けると、Ａ番組の音声の音量の割合は７３＋２＝７５ポイントとなり、Ｂ番組、Ｃ番組、Ｄ番組それぞれポイントは、７−２＝５ポイントとなり、Ａ番組の音声、Ｂ番組、Ｃ番組及びＤ番組の音声の音量の比は、７５：５：５：５＝１５：１：１：１となる。
【００５５】
一方、図９（ｂ）に示すように、視聴者がＡ番組を３秒間見た後、視聴者が見ている番組をＡ番組からＢ番組に変更して、Ｂ番組を２秒間見ているとすると、まず、視聴者が見ている番組をＡ番組からＢ番組に変更した時に、Ａ番組のポイントが７３ポイントから１３ポイント（それまでのＡ番組のポイントから６０ポイント引く。）に、Ｂ番組のポイントが７ポイントから６７ポイントに変更される（それまでのＢ番組のポイントである７ポイントに６０ポイント加える。）。そして、視聴者がＢ番組を２秒間見ると、Ａ番組のポイントは、１３−２＝１１ポイントとなり、Ｂ番組のポイントは、６７＋２＝６９ポイントとなり、Ｃ番組、Ｄ番組のポイントは、７−２＝５ポイントとなり、Ａ番組の音声、Ｂ番組、Ｃ番組及びＤ番組の音声の音量の比は、１１：６９：５：５となる。
【００５６】
図８に戻って説明を続ける。マルチ画面作成部１６が、子画面サイズ決定部１３から出力される子画面サイズデータと、チューナ部１５Ａ…から出力される映像データに基づいてマルチ画面を作成する（ステップＳ３５）。
【００５７】
また、マルチ画面作成部１６が、マルチ画面データをマルチ画面記憶部１７および画面表示装置４に出力する。
音量調整部１９が、音量割合決定部１８から出力される音量割合データ、選択音量入力装置６から出力される音量データに基づいて各番組の音声の音量を決定する（ステップＳ３６）。
【００５８】
音量調整部１９が、各番組の音声データと各番組の音量データを音声提供装置５に出力する。
そして、画面表示装置４が、マルチ画面作成部１６から出力されるマルチ画面データに基づいて、表示面にマルチ画面を表示する。
また、音声提供装置５が、音量調整部１９から出力される各番組の音声データと各番組の音量データに基づいて、音声を提供する。
【００５９】
第２の実施形態に係る番組選択支援装置１Ａによれば、視聴者が子画面を見ている時間に基づいて子画面の大きさが決定され、子画面を見ている時間に基づいて番組の音声の音量の大きさが決定される。
また、視聴者が見ている番組の音声の音量について番組を視聴するのにちょうどよい大きさの範囲で変更し、視聴者が見ていない番組の音声の音量を視聴者の番組選択のきっかけとなりうる音声の音量の範囲で変更すれば、視聴者が見ている番組の音声を視聴者が番組を視聴するのにちょうどよい大きさとなり、それ以外の番組の音声が、視聴者が見ている番組の音声を聴く妨げにならず、かつ、視聴者の番組選択のきっかけとすることができる。
【００６０】
［第３の実施形態］
次に、第３の実施形態について、適宜、図面を参照しながら説明する。なお、第１の実施形態または第２の実施形態と同様の構成については同一の符号を付してその説明は省略する。ここで参照する図１０は、番組選択支援装置の構成を示すブロック図である。図１０に示すように、番組選択支援装置１Ｂは、指定子画面特定部１１Ｂ、タイマ部１２、子画面サイズ決定部１３、子画面サイズ記憶部１４、チューナ部１５Ａ、マルチ画面作成部１６、マルチ画面記憶部１７、音量調整部１９Ｂを備えている。
【００６１】
ここで、第１の実施形態に係る番組選択支援装置１とでは、指定子画面特定部１１Ｂ、チューナ部１５Ａ、音量調整部１９Ｂを備え、指定子画面特定部１１およびチューナ部１５を備えていない点で異なり、第２の実施形態に係る番組選択支援装置１Ａとは、指定子画面特定部１１Ｂおよび音量調整部１９Ｂを備え、指定子画面特定部１１Ａ、音量割合決定部１８、音量調整部１９および音量割合記憶部２２を備えていない点で異なる。
【００６２】
指定子画面特定部（指定子画面特定手段）１１Ｂは、視線検出装置２から出力されてくる視聴者の視線を示す視線ベクトルデータと視聴者の位置データ、マルチ画面記憶部１７から読み出したマルチ画面データから視聴者がどの子画面を見ているのかを特定するものである。また、指定子画面特定部１１Ｂは、子画面特定データを子画面サイズ決定部１３および音量調整部１９Ｂに出力するものである。
【００６３】
音量調整部（音声決定手段）１９Ｂは、指定子画面特定部１１Ｂから出力される子画面特定データ、チューナ部１５Ａ…から出力される音声データ及び選択音量入力装置６から出力される選択音量データに基づいて、子画面に映し出されている番組の音声の音量を決定するものである。
【００６４】
例えば、視聴者が見ている番組の音声だけ音声提供装置５において選択音量入力装置６により選択された音量で出力することもできるし、また、視聴者が見ている番組の音声の音量を選択音量入力装置６により選択された音量として、視聴者が見ていない番組の音声の音量を視聴者が見ている番組の妨げにならず、かつ、視聴者が番組選択のきっかけとなりうる音声の音量とすることもできる。
【００６５】
第３の実施形態に係る番組選択支援装置１Ｂによれば、視聴者が子画面を見ている時間に基づいて子画面の大きさが決定され、見ている子画面に基づいて番組の音声の音量が決定される。
また、視聴者が見ている番組の音声だけ音声提供装置５で出力することとすれば、視聴者が見ていない番組の音声により視聴者が見ている番組の音声を聴く妨げとならない。一方、視聴者が見ている番組の音声の音量を選択音量入力装置６により入力された音量として、視聴者が見ていない番組の音声の音量を視聴者の番組選択のきっかけとなりうる音声の音量に抑えれば、視聴者が見ている番組の音声を視聴者が番組を視聴するのにちょうどよい大きさとなり、それ以外の番組の音声が、視聴者が見ている番組の音声を聴く妨げにならず、かつ、視聴者の番組選択のきっかけとすることができる。
【００６６】
［第４の実施形態］
次に、第４の実施形態について、適宜、図面を参照しながら説明する。なお、第１の実施形態と同様の構成については同一の符号を付してその説明は省略する。ここで参照する図１１は、番組選択支援装置の構成を示すブロック図である。図１１に示すように、番組選択支援装置１Ｃは、指定子画面特定部１１Ｃ、タイマ部１２、タイマ部１２Ｃ、子画面サイズ決定部１３、子画面サイズ記憶部１４、チューナ部１５Ｃ、マルチ画面作成部１６Ｃ、マルチ画面記憶部１７、支援情報生成部２０、重畳部２１を備えている。
ここで、第１の実施形態に係る番組選択支援装置１とは、指定子画面特定部１１Ｃ、タイマ部１２Ｃ、チューナ部１５Ｃ、マルチ画面作成部１６Ｃ、支援情報生成部２０および重畳部２１を備え、指定子画面特定部１１およびチューナ部１５を備えていない点で異なる。
【００６７】
指定子画面特定部（指定子画面特定手段）１１Ｃは、視線検出装置２から出力されてくる視聴者の視線を示す視線ベクトルデータと視聴者の位置データ、マルチ画面記憶部１７から読み出したマルチ画面データから視聴者がどの子画面を見ているのかを特定するものである。また、指定子画面特定部１１Ｃは、視聴者がどの子画面を見ているのかを示す子画面特定データをタイマ部１２Ｃおよび子画面サイズ決定部１３に出力するものである。
【００６８】
タイマ部（計時手段）１２Ｃは、指定子画面特定部１１Ｃから出力される子画面特定データに基づいて、視聴者が子画面を見ている時間を測定するものであり、視聴者が特定の子画面を見ている時間が予め定められている閾値を超えた場合に、閾値を超えたことを示す閾値経過データを出力するものである。
具体的には、タイマ部１２Ｃは、視聴者が特定の子画面を見ている時間が第１の閾値を越えた場合に第１の閾値経過データを出力し、視聴者が特定の子画面を見ている時間が第２の閾値を超えた場合には第２の閾値経過データを出力し、視聴者が特定の子画面を見ている時間が第３の閾値を超えた場合に第３の閾値経過データを出力する。
【００６９】
チューナ部１５Ｃ…は、選択番組入力装置３から出力される選択番組データに基づいて、アンテナが受信した放送波を検波、増幅して映像データをマルチ画面作成部１６Ｃに出力し、番組情報（電子番組ガイド）を示す番組情報データを支援情報生成部２０に出力するものである。
【００７０】
マルチ画面作成部（マルチ画面作成手段）１６Ｃは、子画面サイズ決定部１３から出力される子画面サイズデータと、チューナ部１５Ｃ…から出力される映像データに基づいてマルチ画面を作成するものである。また、マルチ画面作成部１６Ｃは、マルチ画面データをマルチ画面記憶部１７と重畳部２１に出力する。
支援情報生成部２０は、タイマ部１２Ｃから出力される閾値経過データに基づいて、チューナ部１５Ｃ…から出力される番組情報データから、指定子画面特定部１１Ｃで特定されている子画面の支援情報を生成するものである。
【００７１】
次に支援情報生成部２０における支援情報の生成方法について図面を参照して説明する。ここで参照する図１２（ａ）は、視聴者がＡ画面を１０秒間見ていた場合にＡ画面に表示されるテロップを示すイメージ図であり、（ｂ）は、視聴者がＡ画面を２０秒間見ていた場合にＡ画面に表示されるテロップを示すイメージ図であり、（ｃ）は、視聴者がＡ画面を３０秒間見ていた場合にＡ画面に表示されるテロップを示すイメージ図である。
【００７２】
例えば、図１２（ａ）に示すように、第１の閾値が１０秒間である場合に、タイマ部１２Ｃで測定される時間（視聴者がＡ画面を見ている時間）が１０秒間となったときに、タイマ部１２Ｃから第１の閾値経過データが出力され、支援情報生成部２０が、視聴者が見ている子画面に関する番組の番組情報から番組名（タイトル名）のみを抽出して、この番組名（タイトル名）を視聴者が見ている子画面にテロップとして５秒間表示する。
【００７３】
また、例えば、図１２（ｂ）に示すように、第２の閾値が２０秒間である場合に、タイマ部１２Ｃで測定される時間（視聴者がＡ画面を見ている時間）が２０秒間となったときに、タイマ部１２Ｃから第２の閾値経過データが出力され、支援情報生成部２０が、視聴者が見ている子画面に関する番組の番組情報から番組名（タイトル名）、出演者名及び番組開始終了時間（番組開始時間及び番組終了時間）を抽出して、この番組名（タイトル名）、出演者名及び番組開始終了時間を視聴者が見ている子画面にテロップとして５秒間表示する。
【００７４】
さらに、例えば、図１２（ｃ）に示すように、第３の閾値が３０秒間である場合に、タイマ部１２Ｃで測定される時間（視聴者がＡ画面を見ている時間）が３０秒間となったときに、タイマ部１２Ｃから第３の閾値経過データが出力され、支援情報生成部２０が、視聴者が見ている子画面に関する番組の番組情報から番組名（タイトル名）、出演者名、番組開始終了時間及び番組の概要に関する番組詳細情報を抽出して、この番組名（タイトル名）、出演者名、番組開始終了時間及び番組の概要に関する番組詳細情報を視聴者が見ている子画面にテロップとして１０秒間表示する。
【００７５】
図１１に戻って説明を続ける。支援情報生成部２０は、支援情報を示す支援情報データを重畳部２１に出力する。重畳部２１は、マルチ画面作成部１６Ｃから出力されるマルチ画面データと、支援情報生成部２０から出力される支援情報データに基づいて、マルチ画面に支援情報を重畳するものである。また、重畳部２１は、支援情報を重畳したマルチ画面を示すデータを画面表示装置４に出力する。
ここで、支援情報生成部２０と重畳部２１が、特許請求の範囲に記載した番組情報取得出力手段に該当する。
【００７６】
第４の実施形態に係る番組選択支援装置１Ｃの視聴者が視聴している番組について、視聴者が視聴している時間が予め指定された時間となると支援情報が画面表示装置４の表示面に表示されるので、視聴者が番組を見ている間にわざわざ新聞のテレビ欄やテレビ情報誌を参照する必要をなくすことができる。
【００７７】
なお、本発明は、本実施の形態に限定されず、技術的思想として同一である限り種々の変形が可能である。
例えば、番組選択支援装置１Ｂ、番組選択支援装置１Ｃが、支援情報生成部２０と重畳部２１を備えていてもよい。
また、視線検出装置２の代わりに、マウス、リモコンなどを操作することにより子画面を指定してもよい（例えば、マウスを操作することにより指定する子画面上にカーソルを示して子画面を指定する。）。
また、指定された時間に伴い子画面のサイズを変更すると共に、子画面の輝度を増減したり、子画面を透明化したりすることも可能である。
【００７８】
また、画面表示装置４の表示面に表示される画面を４分割して４つの子画面としているが、子画面の数は４つに限定されず、例えば、２分割して２つの子画面、３分割して３つの子画面、５分割して５つの子画面、６分割して６つの子画面などとしてもよい。
また、視聴者が子画面を見始めた際に画面表示装置４の表示面に表示される画面を４等分に分割して子画面を表示しているが、視聴者が子画面を見始めた際に画面表示装置４の表示面に表示される画面を等分に分割して子画面を表示する場合に限定されず、視聴者が子画面を見始めた際に画面表示装置４の表示面に表示される画面を、視聴者が見ている画面を大きくし、それ以外の画面を小さく表示してもよい。
【００７９】
また、番組選択支援装置１、番組選択支援装置１Ａ、番組選択支援装置１Ｂ及び番組選択支援装置１Ｃ内の各構成部の機能は、図示しない記憶部に格納されたプログラム（番組選択支援プログラム）に基づいて、図示しないＣＰＵが演算処理を行うことで実現される。
また、番組選択支援装置１、番組選択支援装置１Ａ、番組選択支援装置１Ｂ及び番組選択支援装置１Ｃ内の各構成部はそれぞれが別々のコンピュータで実現されていてもよく、また、１つのコンピュータにより実現されていてもよい。
【図面の簡単な説明】
【００８０】
【図１】実施の形態に係る番組選択支援装置の構成を示すブロック図である。
【図２】（ａ）は、画面表示装置の表示面に表示される画面を４等分に分割した子画面を示すイメージ図、（ｂ）は、Ａ画面を拡大し、Ｂ画面、Ｃ画面及びＤ画面を縮小した場合を示すイメージ図、（ｃ）は、Ａ画面の表示位置を移動させた場合を示すイメージ図、（ｄ）はＢ画面、Ｃ画面及びＤ画面の表示位置を移動させた場合を示すイメージ図である。
【図３】視聴者の視線の特定方法を示すフローチャートである。
【図４】眼球の概略図である。
【図５】実施の形態に係る番組選択支援装置の動作を示すフローチャートである。
【図６】（ａ）は、画面表示装置の表示面に表示される画面を４等分に分割した子画面を示すイメージ図、（ｂ）は、視聴者がＡ画面を１０秒間見続けた場合の各子画面を示したイメージ図、（ｃ）は、視聴者がＡ画面を１０秒間見た後、Ｂ画面を５秒間見た場合の各子画面を示すイメージ図、（ｄ）は、視聴者がＡ画面を１０秒間見た後、Ｂ画面を２３秒間見た場合の各子画面のイメージ図である。
【図７】実施の形態に係る番組選択支援装置の構成を示すブロック図である。
【図８】実施の形態に係る番組選択支援装置の動作を示すフローチャートである。
【図９】（ａ）は、Ａ番組を見続けた場合の子画面を見ている時間と各番組のポイントの１例を示した図であり、（ｂ）は、途中でＡ番組からＢ番組に見ている番組を変更した場合の子画面を見ている時間と各番組のポイントの１例を示した図である。
【図１０】実施の形態に係る番組選択支援装置の構成を示すブロック図である。
【図１１】実施の形態に係る番組選択支援装置の構成を示すブロック図である。
【図１２】ａ）は、視聴者がＡ画面を１０秒間見ていた場合にＡ画面に表示されるテロップを示すイメージ図であり、（ｂ）は、視聴者がＡ画面を２０秒間見ていた場合にＡ画面に表示されるテロップを示すイメージ図であり、（ｃ）は、視聴者がＡ画面を３０秒間見ていた場合にＡ画面に表示されるテロップを示すイメージ図である。
【符号の説明】
【００８１】
１，１Ａ，１Ｂ，１Ｃ  番組選択支援装置
１１，１１Ａ          指定子画面特定部（指定子画面特定手段）
１２，１２Ａ，１２Ｃ  タイマ部（計時手段）
１３                  子画面サイズ決定部（子画面サイズ決定手段）
１４                  子画面サイズ記憶部（子画面サイズ記憶手段）
１６，１６Ｃ          マルチ画面作成部（マルチ画面作成手段）
１８                  音量割合決定部（音量決定手段）
１９，１９Ｂ          音量調整部（音量決定手段、音声決定手段）
２０                  支援情報生成部（番組情報取得出力手段）
２１                  重畳部（番組情報取得出力手段）
２２                  音量割合記憶部（音量割合記憶手段）
【図１】
2005333524.tif 000003
【図２】
2005333524.tif 000004
【図３】
2005333524.tif 000005
【図４】
2005333524.tif 000006
【図５】
2005333524.tif 000007
【図６】
2005333524.tif 000008
【図７】
2005333524.tif 000009
【図８】
2005333524.tif 000010
【図９】
2005333524.tif 000011
【図１０】
2005333524.tif 000012
【図１１】
2005333524.tif 000013
【図１２】
2005333524.tif 000014